(57)【特許請求の範囲】
【請求項１】
電気機器(10)に設けられているバッテリー取付部(12)に第１の端部(1A)を中心として傾動させながら装着され、かつバッテリー取付部(12)の側面に設けられている接点(13)に接続する端子(3)を、第１の端部(1A)と反対側の第２の端部(1B)の側面に設けており、さらに、バッテリー取付部(12)に設けられているガイドリブ(14)を案内するリブ嵌合ガイド溝(4)を有するパック電池であって、
リブ嵌合ガイド溝(4)が、第１の端部(1A)を中心に傾動する状態でガイドリブ(14)が移動する軌跡に位置し、かつ第２の端部(1B)を中心に傾動させるとガイドリブ(14)が衝突する位置にあり、第１の端部(1A)を中心に傾動させて、リブ嵌合ガイド溝(4)にガイドリブ(14)を案内しながらバッテリー取付部(12)に装着されるようにしてなるパック電池。
【請求項２】
電気機器(10)に設けられているバッテリー取付部(12)に第１の端部(1A)を中心として傾動させながら装着され、かつバッテリー取付部(12)の側面に設けられている接点(13)に接続する端子(3)を、第１の端部(1A)と反対側の第２の端部(1B)の側面に設けており、さらに、バッテリー取付部(12)に設けられているリブ嵌合ガイド溝(4)に案内されるガイドリブ(14)を有するパック電池であって、
ガイドリブ(14)が、第１の端部(1A)を中心に傾動する状態でリブ嵌合ガイド溝(4)を移動する軌跡に位置し、かつ第２の端部(1B)を中心に傾動させるとリブ嵌合ガイド溝(4)に案内されないで衝突する位置にあり、第１の端部(1A)を中心に傾動させて、リブ嵌合ガイド溝(4)にガイドリブ(14)を案内しながらバッテリー取付部(12)に装着されるようにしてなるパック電池。
【請求項３】
第１の端部(1A)に、バッテリー取付部(12)に係止されて傾動中心となる引掛凸部(7)を有する請求項１または２に記載されるパック電池。
【請求項４】
引掛凸部(7)が弾性的に突出している請求項３に記載されるパック電池。
【請求項５】
第２の端部(1B)に弾性的に突出するロック爪(8)を有する請求項１または２に記載されるパック電池。
【請求項６】
両側に平行凸条(6)を設けてその間をリブ嵌合ガイド溝(4)としている請求項１または２に記載されるパック電池。
【請求項７】
複数の端子(3)を有し、各々の端子(3)の間に平行凸条(6)を設けている請求項１または２に記載されるパック電池。
【発明の詳細な説明】
【０００１】
【発明の属する技術分野】
本発明は、電気機器に設けているバッテリー取付部に脱着できるように装着されるパック電池に関し、とくに一端を中心に傾動させながら脱着されるパック電池に関する。
【０００２】
【従来の技術】
パック電池は、電気機器のバッテリー取付部に装着されて、ケースに設けている端子を電気機器の接点に接続する。パック電池から電気機器に電力を供給するためである。端子は、接点に接触不良を起こさない状態で接続することが特に大切である。接触不良を防止するために、電気機器の接点をパック電池の端子に弾性的に押し付ける構造が好ましい機構として使用される。弾性的に押し付ける構造は、パック電池を装着しない状態では、接点がバッテリー取付部から突出している。装着されるパック電池の端子にしっかりと押し付けて電気接続させるためである。この構造は、図１に示すように、電気機器１０のバッテリー取付部１２の底面に接点１３を設けて、パック電池１の端子３を損傷させないで電気接続できる。それは、図に示すように、パック電池１が装着されるとき、端子３が接点１３を押圧する方向に移動して、接点１３が端子３を摺動しないからである。
【０００３】
【発明が解決しようとする課題】
しかしながら、電気機器によっては、接点を必ずしもバッテリー取付部の底面に設けることができず、バッテリー取付部の側面に設けざるを得ないこともある。バッテリー取付部の側面に設けた接点は、パック電池を装着するときに、好ましくない装着状態となることがある。図２に示すように、パック電池１を平行移動させて電気機器１０のバッテリー取付部１２に装着するときに端子３や接点１３を損傷する弊害はない。ただ、パック電池は、全てのユーザーがこの状態でバッテリー取付部に装着するとは限らない。ユーザーによっては、図３に示すように、一端を中心に傾動させながらパック電池１をバッテリー取付部１２に装着することがある。この状態でパック電池１がバッテリー取付部１２に装着されると、端子３が突出している接点１３を横方向に押して変形させ、あるいは損傷させる弊害が発生する。
【０００４】
本発明は、この弊害を解消することを目的に開発されたものである。本発明の重要な目的は、全てのユーザーが正しい装着状態で電気機器のバッテリー取付部に装着できるパック電池を提供することにある。
【０００５】
【課題を解決するための手段】
本発明のパック電池は、電気機器１０に設けられているバッテリー取付部１２に、第１の端部１Ａを中心として傾動させながら装着される。パック電池は、バッテリー取付部１２の側面に設けられている接点１３に接続される端子３を、第１の端部１Ａと反対側の第２の端部１Ｂの側面に設けている。さらに、パック電池は、バッテリー取付部１２に設けられているガイドリブ１４を案内するリブ嵌合ガイド溝４を有する。リブ嵌合ガイド溝４は、第１の端部１Ａを中心に傾動する状態で、ガイドリブ１４が移動する軌跡に位置し、かつ第２の端部１Ｂを中心に傾動させるとガイドリブ１４が衝突する位置にある。このパック電池は、第１の端部１Ａを中心に傾動させて、リブ嵌合ガイド溝４にガイドリブ１４を案内しながらバッテリー取付部１２に装着される。
【０００６】
本発明のパック電池は、バッテリー取付部１２に設けられているリブ嵌合ガイド溝４に案内されるガイドリブ１４を設けることもできる。このガイドリブ１４は、第１の端部１Ａを中心に傾動する状態で、リブ嵌合ガイド溝４を移動する軌跡に位置し、かつ第２の端部１Ｂを中心に傾動させるとリブ嵌合ガイド溝４に案内されないで衝突する位置にある。このパック電池は、第１の端部１Ａを中心に傾動させて、リブ嵌合ガイド溝４にガイドリブ１４を案内しながらバッテリー取付部１２に装着される。
【０００７】
さらに、本発明のパック電池は、第１の端部１Ａに、バッテリー取付部１２に係止されて傾動中心となる引掛凸部７を設けることができる。この引掛凸部７は、弾性的に突出させることができる。さらに、本発明のパック電池は、第２の端部１Ｂに弾性的に突出するロック爪８を設けることができる。
【０００８】
リブ嵌合ガイド溝４は、両側に平行凸条６を設けて、その間に形成することができる。さらに、パック電池は、複数の端子３を設けて、各々の端子３の間に平行凸条６を設けることができる。
【０００９】
【発明の実施の形態】
以下、本発明の実施例を図面に基づいて説明する。ただし、以下に示す実施例は、本発明の技術思想を具体化するためのパック電池を例示するものであって、本発明はパック電池を以下のものに特定しない。
【００１０】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１１】
図４ないし図１０のパック電池１は、図１１に示す電気機器１０のバッテリー取付部１２に脱着できるように装着される。この図の電気機器１０は、ケース１１の側縁に沿ってパック電池１を嵌入できる凹部を設けてバッテリー取付部１２としている。このバッテリー取付部１２は、細長い直線状の溝型で、ここにパック電池１を装着して開口部を閉塞する。バッテリー取付部１２は、装着したパック電池１が外れるのを阻止するために、対向する両端の内面に嵌合穴１５を設けている。嵌合穴１５は、凹部の開口部に近い位置に設けている。さらに、開口部の周縁には、パック電池１をより正確な位置と姿勢で装着するために、位置決凸部１６を突出して設けている。さらに、図の電気機器１０は、バッテリー取付部１２の側縁に沿って、手を入れることができる取っ手窪み１７を設けている。この電気機器１０は、取っ手窪み１７に手を入れて、パック電池１をバッテリー取付部１２から簡単に引き出しできる。
【００１２】
さらにまた、図１１の電気機器１０のバッテリー取付部１２は、凹部の底面ではなくて側面に接点１３を設けている。この接点１３は、バッテリー取付部１２の中央部ではなくて一方の端部に配設される。接点１３は、パック電池１の端子３に確実に電気接続するように、ケース１１の表面から弾性的に押し出されている。この接点１３は、たとえば弾性変形する金属線や金属板で製作され、あるいはスプリングで弾性的に押し出されて、ケース１１から弾性的に突出している。さらに、接点１３は、パック電池１を挿入する方向に延長して設けられる。図１２は、接点１３を設けている部分の横断面図である。この接点１３は、弾性金属線や弾性金属板を、パック電池１の装着方向である矢印Ｂで示す上下方向に延長して配設している。この接点１３は、矢印Ｂで示す方向に挿入されるパック電池１の端子表面をスムーズに摺動して、端子３の表面に接触する。ただ、矢印Ｂと直交する方向にパック電池１の端子３が移動するとき、接点１３は端子表面にスムーズに摺動しない。
【００１３】
図１１のバッテリー取付部１２は、３つの接点１３を１列に並べて配設している。複数の接点１３は、バッテリー取付部１２の長手方向に並べて配設している。接点１３の両側には、矢印Ａで示すパック電池１の装着方向に延長してガイドリブ１４を設けている。この図の電気機器１０は、接点１３の両側に各々１列、全体で２列のガイドリブ１４を配設している。ガイドリブは、１列または３列以上とすることもできる。ガイドリブ１４は、ケース１１に一体的に成形して設けられる。
【００１４】
パック電池１は、バッテリー取付部１２に嵌入できるように全体を細長い形状としている。このパック電池１は、ケース２にリチウムイオン電池、ニッケル−水素電池、ニッケル−カドミウム電池等の二次電池（図示せず）を内蔵している。リチウムイオン電池を内蔵するパック電池１は、ケース２に電池の保護基板（図示せず）も内蔵している。このパック電池１は、図１３に示すように、第１の端部１Ａ（図において右端）を中心として傾動させながらバッテリー取付部１２に装着される。さらに、バッテリー取付部１２の接点１３に接触させるために、第１の端部１Ａと反対側の第２の端部１Ｂの側面に端子３を設けている。端子３は、内蔵している二次電池や保護基板に接続している。パック電池１の端子３が電気機器１０の接点１３に接続されて、パック電池１から電気機器１０に電力が供給される。端子３は、パック電池１をバッテリー取付部１２に装着する状態で、バッテリー取付部１２の側面に設けている接点１３に接続される位置に配設される。
【００１５】
さらに、パック電池１は、端子３の両側にリブ嵌合ガイド溝４を設けている。このリブ嵌合ガイド溝４は、第１の端部１Ａを中心としてパック電池１をバッテリー取付部１２に傾動させながら装着するときに、バッテリー取付部１２のガイドリブ１４を案内する。したがって、リブ嵌合ガイド溝４は、図１３に示すように、第１の端部１Ａを中心に傾動させるときに、ガイドリブ１４が移動する軌跡に位置している。したがって、パック電池１は、第１の端部１Ａを中心に傾動させて、リブ嵌合ガイド溝４にガイドリブ１４を案内してバッテリー取付部１２に装着される。しかしながら、図１４に示すように、第２の端部１Ｂを中心にパック電池１を傾動させると、リブ嵌合ガイド溝４にはガイドリブ１４が案内されず、ガイドリブ１４がリブ嵌合ガイド溝４に衝突する位置に設けている。したがって、第２の端部１Ｂを中心に傾動してはパック電池１をバッテリー取付部１２に装着できない。
【００１６】
図のパック電池１は、図４ないし図１０に示すように、ケース２に端子ホルダー５を固定し、この端子ホルダー５にリブ嵌合ガイド溝４と端子３を設けている。端子ホルダー５は、ケース２とは別のパーツとしてプラスチックで成形している。この端子ホルダー５は、端子３とリブ嵌合ガイド溝４を設けた前面が、ケース２に設けた貫通孔２Ａからケース２の外部に表出するようにして、ケース２の定位置に固定される。端子ホルダー５は、ケース２に内蔵されるプリント基板（図示せず）に連結され、端子３をプリント基板に接続している。端子ホルダー５に固定された端子３は、ケース２の表面から突出するように固定される。
【００１７】
端子ホルダー５は、複数列の平行凸条６を設けて、平行凸条６の間をリブ嵌合ガイド溝４としている。さらに、平行凸条６の間に端子３を配設している。平行凸条６は、パック電池１をバッテリー取付部１２に装着するときに、電気機器１０の接点１３を正確に端子３に案内する。したがって、このパック電池１は、接点１３を正確に端子位置に案内できる特長がある。
【００１８】
以上のパック電池１は、電気機器１０のバッテリー取付部１２にガイドリブ１４を設けているので、これを案内するリブ嵌合ガイド溝４をパック電池１に設けている。ただ、リブ嵌合ガイド溝を設けているバッテリー取付部に装着するパック電池においては、ガイドリブをパック電池に設ける。このパック電池は、第１の端部を中心に傾動させる状態で、リブ嵌合ガイド溝が移動する軌跡にガイドリブを配設する。第２の端部を中心にパック電池を傾動してバッテリー取付部に装着すると、リブ嵌合ガイド溝がガイドリブに衝突する位置に配設される。したがって、このパック電池も、第１の端部を中心に傾動させて、リブ嵌合ガイド溝にガイドリブを案内しながらバッテリー取付部に装着され、第２の端部を中心に傾動しては、バッテリー取付部に装着できない。
【００１９】
パック電池１は、バッテリー取付部１２の嵌合穴１５に係止されて傾動中心となる引掛凸部７を第１の端部１Ａに設けている。パック電池１は、図１３に示すように引掛凸部７を嵌合穴１５に入れて傾動してバッテリー取付部１２に装着される。引掛凸部７は、弾性的に出入りするようにケース２に設けている。さらに、パック電池１は、図５と図１３に示すように第２の端部１Ｂにも、弾性的に突出しているロック爪８を設けている。このロック爪８は、先端をバッテリー取付部１２に設けている嵌合穴１５に入れて、パック電池１をバッテリー取付部１２に外れないように装着する。ロック爪８は、上面に操作部９を表出させている。操作部９を操作してロック爪８を引き込むと、パック電池１がバッテリー取付部１２から外される。
【００２０】
【発明の効果】
本発明のパック電池は、全てのユーザーが正しい装着状態で電気機器のバッテリー取付部に装着できる特長がある。それは、本発明のパック電池が、バッテリー取付部に設けているガイドリブを案内するリブ嵌合ガイド溝、あるいは、バッテリー取付部に設けているリブ嵌合ガイド溝に案内されるガイドリブを有し、第２の端部を中心に傾動させると、嵌合ガイド溝にガイドリブが衝突してバッテリー取付部に装着できないが、第１の端部を中心に傾動させると、リブ嵌合ガイド溝にガイドリブを案内してバッテリー取付部に装着できるようにしているからである。このように、間違った方向に傾動させると装着できないパック電池は、全てのユーザーが、極めて簡単に電気機器のバッテリー取付部に正しい状態で装着できる。とくに、本発明のパック電池は、第１の端部と反対側の第２の端部の側面に端子を設けているので、パック電池の装着時に端子や接点に無理な力が作用するのを阻止して、これらを変形させたり損傷させるのを有効に防止できる。
【図面の簡単な説明】
【図１】従来のパック電池を電気機器のバッテリー取付部に装着する状態を示す断面図
【図２】従来の他のパック電池を電気機器のバッテリー取付部に装着する状態を示す断面図
【図３】図２に示すパック電池を電気機器のバッテリー取付部に装着する他の状態を示す断面図
【図４】本発明の一実施例にかかるパック電池の斜視図
【図５】図４に示すパック電池の背面斜視図
【図６】図４に示すパック電池の背面図
【図７】図４に示すパック電池の平面図
【図８】図４に示すパック電池の底面図
【図９】図４に示すパック電池の左側面図
【図１０】図４に示すパック電池の右側面図
【図１１】図４に示すパック電池が装着される電気機器の斜視図
【図１２】図１１に示す電気機器のバッテリー取付部の要部拡大断面図
【図１３】第１の端部を中心としてパック電池を傾動させてバッテリー取付部に装着する状態を示す概略図
【図１４】第２の端部を中心としてパック電池を傾動させてバッテリー取付部に装着する状態示す概略図
【符号の説明】
１…パック電池          １Ａ…第１の端部        １Ｂ…第２の端部
２…ケース              ２Ａ…貫通孔
３…端子
４…リブ嵌合ガイド溝
５…端子ホルダー
６…平行凸条
７…引掛凸部
８…ロック爪
９…操作部
１０…電気機器
１１…ケース
１２…バッテリー取付部
１３…接点
１４…ガイドリブ
１５…嵌合穴
１６…位置決凸部
１７…取っ手窪み
【図１】
0003650046.tif 000002
【図２】
0003650046.tif 000003
【図３】
0003650046.tif 000004
【図４】
0003650046.tif 000005
【図５】
0003650046.tif 000006
【図６】
0003650046.tif 000007
【図７】
0003650046.tif 000008
【図８】
0003650046.tif 000009
【図９】
0003650046.tif 000010
【図１０】
0003650046.tif 000011
【図１１】
0003650046.tif 000012
【図１２】
0003650046.tif 000013
【図１３】
0003650046.tif 000014
【図１４】
0003650046.tif 000015